【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続される第１の帰還抵抗と、
前記直流カットコンデンサーおよび前記インバーターに並列に接続される第２の帰還抵
抗と、
前記直流カットコンデンサーと並列に接続されるスイッチとを備える
ことを特徴とする発振回路。
【請求項２】
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続される第１の帰還抵抗と、
前記直流カットコンデンサーおよび前記インバーターに並列に接続される第２の帰還抵
抗と、
前記直流カットコンデンサーと並列に接続される第１スイッチと、
前記第１の帰還抵抗の入力側と前記インバーターの入力側との間に接続される第２スイ
ッチと、
前記第２スイッチおよび前記第１の帰還抵抗間と、前記インバーターの出力側との間に
接続される第３スイッチと、
前記第１の帰還抵抗および前記第２の帰還抵抗の出力側と、前記インバーターの出力側
との間に接続される第４スイッチとを備える
ことを特徴とする発振回路。
【請求項３】
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続される第１の帰還抵抗と、
前記直流カットコンデンサーおよび前記インバーターに並列に接続される第２の帰還抵
抗と、
前記直流カットコンデンサーと並列に接続される第１スイッチと、
前記第２の帰還抵抗の入力側と前記直流カットコンデンサーの入力側との間に接続され
る第２スイッチと、
前記第２スイッチおよび前記第２の帰還抵抗間と、前記インバーターの出力側との間に
接続される第３スイッチと、
前記第１の帰還抵抗および前記第２の帰還抵抗の出力側と、前記インバーターの出力側
との間に接続される第４スイッチとを備える
ことを特徴とする発振回路。
【請求項４】
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続される第１の帰還抵抗と、
前記直流カットコンデンサーおよび前記インバーターに並列に接続された可変抵抗器で
構成される第２の帰還抵抗と、
前記直流カットコンデンサーと並列に接続される第１スイッチと、
前記第１の帰還抵抗に直列に接続される第２スイッチと、
前記第２の帰還抵抗の可変抵抗値を短絡状態および開放状態の切替で変更する第３スイ
ッチとを備える
ことを特徴とする発振回路。
【請求項５】
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続された可変抵抗器で構成される第１の帰還抵抗と、
前記直流カットコンデンサーおよび前記インバーターに並列に接続される第２の帰還抵
抗と、
前記直流カットコンデンサーと並列に接続される第１スイッチと、
前記第２の帰還抵抗に直列に接続される第２スイッチと、
前記第１の帰還抵抗の可変抵抗値を短絡状態および開放状態の切替で変更する第３スイ
ッチとを備える
ことを特徴とする発振回路。
【請求項６】
発振回路および制御回路を備える半導体装置であって、
前記発振回路は、
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続される第１の帰還抵抗と、
前記直流カットコンデンサーおよび前記インバーターに並列に接続される第２の帰還抵
抗と、
前記直流カットコンデンサーと並列に接続されるスイッチとを備え、
前記制御回路は、
前記振動子の発振開始時は、前記スイッチを短絡し、
前記発振開始から所定時間経過後に、前記スイッチを開放する
ことを特徴とする半導体装置。
【請求項７】
前記スイッチを短絡した場合、
前記第２の帰還抵抗は、前記直流カットコンデンサーをバイパスする信号路を形成し、
且つ、前記第１の帰還抵抗と並列に接続され、
前記インバーターの帰還抵抗は、前記並列に接続された前記第1の帰還抵抗と前記第二
の帰還抵抗で構成され、
前記スイッチを開放した場合、
前記第２の帰還抵抗は、前記入力端子の電位を安定化させる回路として機能する
ことを特徴とする請求項６に記載の半導体装置。
【請求項８】
発振回路および制御回路を備える半導体装置であって、
前記発振回路は、
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続される第１の帰還抵抗と、
前記直流カットコンデンサーおよび前記インバーターに並列に接続される第２の帰還抵
抗と、
前記直流カットコンデンサーと並列に接続される第１スイッチと、
前記第１の帰還抵抗の入力側と前記インバーターの入力側との間に接続される第２スイ
ッチと、
前記第２スイッチおよび前記第１の帰還抵抗間と、前記インバーターの出力側との間に
接続される第３スイッチと、
前記第１の帰還抵抗および前記第２の帰還抵抗の出力側と、前記インバーターの出力側
との間に接続される第４スイッチとを備え、
前記制御回路は、
前記振動子の発振開始時は、前記第１スイッチおよび前記第３スイッチを短絡し、前記
第２スイッチおよび前記第４スイッチを開放し、
前記発振開始から所定時間経過後に、前記第１スイッチおよび前記第３スイッチを開放
し、前記第２スイッチおよび前記第４スイッチを短絡する
ことを特徴とする半導体装置。
【請求項９】
発振回路および制御回路を備える半導体装置であって、
前記発振回路は、
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続される第１の帰還抵抗と、
前記直流カットコンデンサーおよび前記インバーターに並列に接続される第２の帰還抵
抗と、
前記直流カットコンデンサーと並列に接続される第１スイッチと、
前記第２の帰還抵抗の入力側と前記直流カットコンデンサーの入力側との間に接続され
る第２スイッチと、
前記第２スイッチおよび前記第２の帰還抵抗間と、前記インバーターの出力側との間に
接続される第３スイッチと、
前記第１の帰還抵抗および前記第２の帰還抵抗の出力側と、前記インバーターの出力側
との間に接続される第４スイッチとを備え、
前記制御回路は、
前記振動子の発振開始時は、前記第１スイッチおよび前記第３スイッチを短絡し、前記
第２スイッチおよび前記第４スイッチを開放し、
前記発振開始から所定時間経過後に、前記第１スイッチおよび前記第３スイッチを開放
し、前記第２スイッチおよび前記第４スイッチを短絡する
ことを特徴とする半導体装置。
【請求項１０】
発振回路および制御回路を備える半導体装置であって、
前記発振回路は、
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続される第１の帰還抵抗と、
前記直流カットコンデンサーおよび前記インバーターに並列に接続された可変抵抗器で
構成される第２の帰還抵抗と、
前記直流カットコンデンサーと並列に接続される第１スイッチと、
前記第１の帰還抵抗に直列に接続される第２スイッチと、
前記第２の帰還抵抗の可変抵抗値を短絡状態および開放状態の切替で変更する第３スイ
ッチとを備え、
前記制御回路は、
前記振動子の発振開始時は、前記第１スイッチを短絡し、前記第２スイッチを開放し、
前記第３スイッチを短絡状態または開放状態の一方の状態とし、
前記発振開始から所定時間経過後に、前記第１スイッチを開放し、前記第２スイッチを
短絡し、前記第３スイッチを短絡状態または開放状態の他方の状態とする
ことを特徴とする半導体装置。
【請求項１１】
発振回路および制御回路を備える半導体装置であって、
前記発振回路は、
振動子に接続される入力端子および出力端子と、
前記入力端子に２つの端子のうちの一方の端子が接続される直流カットコンデンサーと
、
前記直流カットコンデンサーの他方の端子に入力側が接続され、前記出力端子に出力側
が接続されるインバーターと、
前記インバーターに並列に接続された可変抵抗器で構成される第１の帰還抵抗と、
前記直流カットコンデンサーおよび前記インバーターに並列に接続される第２の帰還抵
抗と、
前記直流カットコンデンサーと並列に接続される第１スイッチと、
前記第２の帰還抵抗に直列に接続される第２スイッチと、
前記第１の帰還抵抗の可変抵抗値を短絡状態および開放状態の切替で変更する第３スイ
ッチとを備え、
前記制御回路は、
前記振動子の発振開始時は、前記第１スイッチを短絡し、前記第２スイッチを開放し、
前記第３スイッチを短絡状態または開放状態の一方の状態とし、
前記発振開始から所定時間経過後に、前記第１スイッチを開放し、前記第２スイッチを
短絡し、前記第３スイッチを短絡状態または開放状態の他方の状態とする
ことを特徴とする半導体装置。
【請求項１２】
請求項６から請求項１１のいずれか一項に記載の半導体装置を備えることを特徴とする
ムーブメント。
【請求項１３】
請求項６から請求項１１のいずれか一項に記載の半導体装置を備えることを特徴とする
電子時計。
【手続補正２】
【補正対象書類名】明細書
【補正対象項目名】発明の名称
【補正方法】変更
【補正の内容】
【発明の名称】発振回路、半導体装置、ムーブメントおよび電子時計